(57)【要約】【課題】折り畳み式携帯電話機を嵩張らず、衣類との一体感をもって保持でき、携帯電話機の様々な機種に対応でき、瞬時に携帯電話機を着脱できる携帯電話機保持部を備えた衣類を提供する。【解決手段】折り畳み式携帯電話機Ｋの折り畳んだ筐体間に挿入可能な保持部１２を衣類１１に設け、携帯電話機Ｋを着脱自在に吊るし掛けて保持する。【選択図】  図３
2009114553.tif 000002
【特許請求の範囲】
【請求項１】
折り畳み式携帯電話機の折り畳んだ筐体間に挿入可能で携帯電話機を着脱自在に吊るし掛けて保持する保持部を設けたことを特徴とする携帯電話機保持部を備えた衣類。
【請求項２】
上記保持部は、携帯電話機の折り畳んだ筐体間に挿入可能な薄板状であることを特徴とする請求項１に記載の携帯電話機保持部を備えた衣類。
【請求項３】
上記保持部は、携帯電話機の挿通孔を有することを特徴とする請求項１または２に記載の携帯電話機保持部を備えた衣類。
【請求項４】
上記保持部は、略Ｕ字形であることを特徴とする請求項１または２に記載の携帯電話機保持部を備えた衣類。
【請求項５】
上記保持部は、携帯電話機の折り畳んだ筐体間に挿入可能な紐状であることを特徴とする請求項１に記載の携帯電話機保持部を備えた衣類。
【請求項６】
上記保持部は、取り外せ、付け替え可能であることを特徴とする請求項１ないし５いずれか１項に記載の携帯電話機保持部を備えた衣類。
【発明の詳細な説明】
【技術分野】
【０００１】
本発明は、折り畳み式携帯電話機を着脱自在に保持する携帯電話機保持部を備えた衣類に関するものである。
【背景技術】
【０００２】
近年、携帯電話機は技術革新により通話だけでなく電子メールやインターネット、カメラ、さらには決済手段としての機能までを持つようになり、若者から熟年者まで幅広い年齢層において一人一台の現代生活の必需品になりつつある。現在、携帯電話機はこれらの情報を表示する大きな画面の必要性から、表示部筐体と操作部筐体とが回動軸を介して連結された折り畳み式のものが主流で、始終身に付けてすぐに使用できることが必要とされているので、上着またはズボンのポケットに入れて携帯している人がほとんどである。また、衣類に取り付けて携帯電話機を保持する携帯電話機保持具として携帯電話機を収納するケースをベルトに取り付けるものが以前より使用されている。
【発明の開示】
【発明が解決しようとする課題】
【０００３】
しかしながら携帯電話機を衣類のポケットに入れた場合、携帯電話機の重さで衣服が引っ張られ、厚さでポケットが膨らみ、嵩張りを感じ不快である。また、喧騒の中では着信音を感知し辛いこともある。ケース状の携帯電話機保持具はケース自体が嵩張り、収納できる携帯電話機の大きさが限定され、携帯電話機の出し入れに手間取り、着信時にすぐに取り出せないという問題がある。また、携帯電話機保持具が衣類からの突起物となり腕や上着に引っ掛かり邪魔で、衣類との一体感がなく見栄えが悪かった。このため特に女性においてはファッション上の理由からもほとんど使用されていないのが現状で、邪魔にならず違和感がなく、携帯電話機の着脱がしやすい携帯電話機保持方法が必要とされている。
【０００４】
そこで本発明は、上述の問題点を鑑み創出されたもので、保持部が衣類からの突起物とならず邪魔にならず、嵩張らず、衣類との一体感があり見栄えがよく女性でも抵抗なく使用でき、現在主流である折り畳み式の携帯電話機の様々な機種に対応できて、素早く容易に折り畳み式携帯電話機を着脱できる携帯電話機保持部を備えた衣類を提供することを目的とする。
【課題を解決するための手段】
【０００５】
上記の課題を解決するために、本発明は、以下の（１）〜（６）に記載の携帯電話機保持部を備えた衣類を提供するものである。
（１）折り畳み式携帯電話機の折り畳んだ筐体間に挿入可能で携帯電話機を着脱自在に吊るし掛けて保持する保持部を設けたことを特徴とする携帯電話機保持部を備えた衣類。
（２）上記保持部は、携帯電話機の折り畳んだ筐体間に挿入可能な薄板状であることを特徴とする（１）に記載の携帯電話機保持部を備えた衣類。
すなわち、折り畳み式携帯電話機の折り畳んだ筐体間に挿入可能で携帯電話機を着脱自在に吊るし掛けて保持する、携帯電話機の折り畳んだ筐体間に挿入可能な薄板状の保持部を設けたことを特徴とする携帯電話機保持部を備えた衣類。
（３）上記保持部は、携帯電話機の挿通孔を有することを特徴とする（１）または（２）に記載の携帯電話機保持部を備えた衣類。
すなわち、携帯電話機の挿通孔を有する、折り畳み式携帯電話機の折り畳んだ筐体間に挿入可能で携帯電話機を着脱自在に吊るし掛けて保持する保持部、好ましくは携帯電話機の折り畳んだ筐体間に挿入可能な薄板状の保持部、を設けたことを特徴とする衣類。
（４）上記保持部は、略Ｕ字形であることを特徴とする（１）または（２）に記載の携帯電話機保持部を備えた衣類。
すなわち、略Ｕ字形の、折り畳み式携帯電話機の折り畳んだ筐体間に挿入可能で携帯電話機を着脱自在に吊るし掛けて保持する保持部、好ましくは携帯電話機の折り畳んだ筐体間に挿入可能な薄板状の保持部、を設けたことを特徴とする携帯電話機保持部を備えた衣類。
（５）上記保持部は、携帯電話機の折り畳んだ筐体間に挿入可能な紐状であることを特徴とする（１）に記載の携帯電話機保持部を備えた衣類。
すなわち、折り畳み式携帯電話機の折り畳んだ筐体間に挿入可能で携帯電話機を着脱自在に吊るし掛けて保持する、携帯電話機の折り畳んだ筐体間に挿入可能な紐状の保持部を設けたことを特徴とする携帯電話機保持部を備えた衣類。
（６）上記保持部は、取り外せ、付け替え可能であることを特徴とする（１）ないし（５）いずれかに記載の携帯電話機保持部を備えた衣類。
すなわち、折り畳み式携帯電話機の折り畳んだ筐体間に挿入可能で携帯電話機を着脱自在に吊るし掛けて保持する保持部を取り外せ、付け替え可能に設けたことを特徴とする携帯電話機保持部を備えた衣類。
【発明の効果】
【０００６】
本発明の携帯電話機保持部を備えた衣類は、保持部が衣類からの突起物とならず、嵩張らず、折り畳み式携帯電話機を衣類との一体感をもって保持でき、ファッションを崩さず女性でも抵抗なく使用できる。また、折り畳み式携帯電話機で保持部を挟んで閉じるのみで携帯電話機を極めて容易に保持でき、保持された携帯電話機は上方へ引き抜くことにより瞬時に使用できる。しかも、折り畳み式携帯電話機の様々な機種が保持可能である。
【発明を実施するための最良の形態】
【０００７】
本発明は表示部筐体と操作部筐体とが回動軸を介して折り畳み可能な携帯電話機を保持する携帯電話機保持部を備えた衣類であり、保持部は折り畳んだ携帯電話機の筐体間を利用して吊るし止めるものである。衣類とはズボン、スカート、ワンピース、シャツ、上着等の身に付けるものである。以下、ズボンを例として本発明の詳細を図面を参照しながら説明する。
【０００８】
［実施形態１］
図１は本発明の第１の実施形態に係る携帯電話機保持部を備えた衣類（ズボン）の斜視図であり、図２は同衣類の正面図である。図３は同衣類の使用状態を示す説明図である。図１、図２、図３に示すように本発明の第１の実施形態に係る携帯電話機保持部を備えた衣類１０はズボン１１であり、折り畳み式携帯電話機Ｋを吊るし掛けて保持する保持部１２を有する。保持部１２は略Ｕ字形の薄板状で、両上端部がズボン１１の腰部上部の内側に縫合されている。
【０００９】
保持部１２は折り畳み式携帯電話機の折り畳んだ筐体間を利用して吊るし止めるもので、携帯電話機Ｋの折り畳まれた表示部筐体Ｋ１と操作部筐体Ｋ２の間に介在可能で、挿入および抜き取りができる薄さである。例えば１ｍｍ以下、より好ましくは０．１〜０．５ｍｍの薄さが例示される。折り畳み式携帯電話機は、折り畳んだ状態で操作キーの表面と表示部との干渉を防ぐため、筐体間に上記程の隙間が設けられているのが一般的である。
【００１０】
この保持部１２をズボン１１の外側に垂れ下げて、携帯電話機Ｋの表示部筐体Ｋ１と操作部筐体Ｋ２で保持部１２を挟んで折り畳み、携帯電話機Ｋを保持部１２に吊るし掛けて保持する。
【００１１】
保持部１２は、ズボン１１の外側に垂れ下げるため折り曲げ可能で、合成樹脂、布、繊維、皮革、紙、金属、ゴム、シリコン等の単一または複合した素材が考えられるが、携帯電話機を保持するための強度を有し、かつ、携帯電話機を傷つけ難いもので、さらに、身体へのフィット感や製造に要するコストを併せ考慮すると、例えば、ナイロン（ポリアミド）繊維、ポリプロピレン繊維、ポリエステル繊維等の化学繊維や、テレフォンカードやプリペイドカードのようなポリエチレンテレフタレート（ＰＥＴ）、塩化ビニル、ポリエチレン、ポリプロピレン等の可撓性を有する合成樹脂が好ましいものとして例示される。金属等の硬質素材の場合は、携帯電話機の表面を傷つけないように表面をゴム、布、軟質合成樹脂等で被覆したり、起毛処理等を施すのが好ましい。
【００１２】
保持部１２の形状は、携帯電話機Ｋを吊るし掛けることができる形状であればよく、本実施形態のような略Ｕ字形の他、後述する実施形態２、３に例示するような円形や四角形等の薄平板に折り畳み式携帯電話機の表示部筐体あるいは操作部筐体のどちらか一方を挿通可能な大きさの挿通孔を設けたものや帯状、紐状であってもよい。また、動物や植物、またはアート、文字、イラスト、キャラクター等の形あるいは柄としてもよい。保持部１２に複数の携帯電話機を保持することができるようにしてもよい。
【００１３】
保持部１２は薄板状で身体に沿って垂れ下がった状態で、衣類からの突起物とならないため、腕や上着が引っ掛かったりせず邪魔にならず、嵩張らず、衣類との一体感があり見栄えがよい。
【００１４】
本実施形態の保持部１２はズボン１１の腰部の内側に縫合され外側に垂れ下げているが、図４のようにズボン１１の外側に縫合されていてもよい。また、ポケットの内側に縫合され外側に垂れ下げてもよい。
【００１５】
本実施形態ではズボン１１製造時、ズボン上部を縫製する時に保持部１２を一緒に縫い込んでいるが、ズボン１１に保持部１２を固定できればよく、接着、熱融着、リベット等の他の固定手段をとってもよい。
【００１６】
保持部１２のズボン１１に固定される部分や、保持部１２をズボン１１の外側に垂らした時折り曲がる部分は、携帯電話機Ｋの荷重がかかるため補強されたり、皮革、合成樹脂、金属等の別部材で構成されてもよい。折り曲がる部分は回動軸としてもよい。
【００１７】
携帯電話機の着脱方法を説明すると、図３に示すように保持部１２をズボンの外側に垂れ下げ、携帯電話機Ｋを少し開いた状態にし、操作部筐体Ｋ２で保持部１２を引っ掛けて身体から離れる方向に動かして、表示部筐体Ｋ１と操作部筐体Ｋ２とで保持部１２を挟んで折り畳むと、携帯電話機Ｋは保持部１２を挟んだ状態で下方へ滑り、保持部１２が携帯電話機Ｋの回動軸Ｋ３に掛かり、携帯電話機Ｋは保持部１２に吊るし止められる。片手で素早く極めて簡単に携帯電話機Ｋを吊るし掛けて保持できる。折り畳んだ状態の携帯電話機Ｋの筐体間に保持部１２を挿入するように吊るし掛けてもよい。
【００１８】
携帯電話機Ｋを使用する時は携帯電話機Ｋを閉じたまま上方へ引き抜くと、携帯電話機Ｋを吊るし止めていた保持部１２が表示部筐体Ｋ１と操作部筐体Ｋ２の間を滑り抜け、携帯電話機Ｋは瞬時に保持部１２から取り外せて使用可能となる。
【００１９】
保持部１２は垂れ下がった状態で、保持部１２を身体から離すように動かすことで、身体から少し離れた位置で携帯電話機Ｋを吊るし掛けることが可能で、携帯電話機Ｋの着脱がしやすい。また、保持部１２はウエスト部から垂れ下がり比較的低い位置にあるので、携帯電話機Ｋの着脱時に肘を大きく曲げることなく楽な動作で着脱でき、上着を着ている時でも上着が邪魔にならず着脱できる。
【００２０】
さらに保持部１２は垂れ下がった状態であるので、着座等の体位の変動や歩行等の運動によって動く携帯電話機Ｋに追従して保持部１２も動き、携帯電話機Ｋの動きを規制しないうえ重心位置が低いため携帯電話機Ｋが落下しにくい。
【００２１】
保持部１２は衣類からの突起物とならず、腕や上着が引っ掛かったりせず、邪魔にならず、嵩張らず、衣類との一体感があり、見栄えがよく、ファッションを崩さず女性でも抵抗なく使用できる。
【００２２】
折り畳んだ携帯電話機の筐体間を利用して吊るし止めるので、折り畳み式携帯電話機であればどのような形状、厚さの機種でも保持できる。また、携帯電話機Ｋは露出した状態で身体に沿って吊るし下げられるので携帯電話機Ｋの厚さ以上の突起物がなく、嵩張らず、軽快感があり、携帯電話機Ｋの背面の表示部も見え、着信音も聞こえやすい。
【００２３】
身体と携帯電話機Ｋの間に上方から指を入れ、身体から離すように動かすことで、携帯電話機Ｋを上方からつまみやすく、引き抜く方向も上方はもちろん、斜め方向にも引き抜け、携帯電話機Ｋを引き抜きやすい。
【００２４】
保持部１２を腰部の内側に縫合すると、携帯電話機Ｋを保持しない時は図１に示すように保持部１２をズボンの内側に垂らすことで保持部を全て隠してしまうことができ、保持部１２が邪魔にならない。
【００２５】
［実施形態２］
図５は本発明の第２の実施形態に係る携帯電話機保持部を備えた衣類の使用状態を示す説明図である。図５に示すように、本発明の第２の実施形態に係る携帯電話機保持部を備えた衣類２０はズボン２１であり、折り畳み式携帯電話機Ｋを吊るし掛けて保持する保持部２２を有する。
【００２６】
保持部２２は携帯電話機Ｋの折り畳まれた表示部筐体Ｋ１と操作部筐体Ｋ２の間に挿入および抜き取りができる薄さの帯状の薄板で、両端にボタン孔２３を有し、ズボン２１の腰部内側にはボタン２４が複数取り付けられており、保持部２２のボタン孔２３にこのボタン２４を留めて保持部２２がズボン２１に取り付けられている。
【００２７】
保持部２２は折り畳み式携帯電話機の折り畳んだ筐体間を利用して吊るし止めるもので、折り畳み式携帯電話機Ｋの折り畳まれた表示部筐体Ｋ１と操作部筐体Ｋ２の間に挿入および抜き取りができる薄さである。例えば１ｍｍ以下、好ましくは０．１〜０．５ｍｍの薄さが例示される。折り畳み式携帯電話機は、折り畳んだ状態で操作キーの表面と表示部との干渉を防ぐため、筐体間に上記程の隙間が設けられているのが一般的である。
【００２８】
この保持部２２をズボン２１の外側に垂れ下げて携帯電話機Ｋの表示部筐体Ｋ１と操作部筐体Ｋ２で保持部２２を挟んで折り畳み、携帯電話機Ｋを保持部２２に吊るし掛けて保持する。
【００２９】
保持部２２は、ズボン２１の外側に垂れ下げるため折り曲げ可能で、合成樹脂、布、繊維、皮革、紙、金属、ゴム、シリコン等の単一または複合した素材が考えられるが、携帯電話機を保持するための強度を有し、かつ、携帯電話機を傷つけ難いもので、さらに、身体へのフィット感や製造に要するコストを併せ考慮すると、例えば、ナイロン（ポリアミド）繊維、ポリプロピレン繊維、ポリエステル繊維等の化学繊維や、テレフォンカードやプリペイドカードのようなポリエチレンテレフタレート（ＰＥＴ）、塩化ビニル、ポリエチレン、ポリプロピレン等の可撓性を有する合成樹脂が好ましいものとして例示される。金属等の硬質素材の場合は、携帯電話機の表面を傷つけないように表面をゴム、布、軟質合成樹脂等で被覆したり、起毛処理等を施すのが好ましい。
【００３０】
このように構成すると、保持部２２を取り付ける位置を身体の前後左右、自分が使いやすい位置に調整できる。さらに保持部が帯状の場合は図５に示すように、両端の取り付けの幅を狭くしたり、広くしたりすることで保持部２２の垂れ下がり具合を調節できる。また、保持部２２は帯状で長いので、携帯電話機Ｋを吊し掛け可能な場所が腰回りに長くなり、携帯電話機Ｋの吊るし掛けがしやすく、また複数の携帯電話機を保持することもできる。
【００３１】
図６は携帯電話機保持部を備えた衣類２０の別の保持部２２ａを示す図である。保持部２２ａは折り畳み式携帯電話機の折り畳まれた表示部筐体と操作部筐体の間に挿入および抜き取りができる薄さの帯状の薄板で両端が皮革製の帯状体２５に連結され、帯状体２５がズボンに取り付けられる。保持部２２ａズボンの外側に垂れ下げて折り畳み式携帯電話機の表示部筐体と操作部筐体とで保持部２２ａを挟んで折り畳み、携帯電話機を保持部２２ａに吊るし掛けて保持する。
【００３２】
保持部２２ａと帯状体２５の連結は、帯状体２５の端部に雄部と雌部が嵌合するスナップボタン２６を取り付け、保持部２２ａの両端に設けた穿孔を通してスナップボタン２６を嵌合し、連結している。
【００３３】
帯状体２５は端部にボタン孔２３を有し、ズボン２１の腰部内側にはボタン２４が複数取り付けられており、帯状体２５のボタン孔２３にこのボタン２４を止めて帯状体２５がズボン２１に取り付けられる。
【００３４】
保持部２２ａと帯状体２５の連結は雄部と雌部が嵌合するスナップボタン２６によるものとしたが、保持部２２ａと帯状体２５とを連結できるものであればよく、フック、連結環、リベット、通常ボタン等としてもよい。
【００３５】
帯状体２５は鎖、連結環等でもよく、保持部はこのように別部材を介してズボン２１に取り付けられていてもよい。
【００３６】
図７は携帯電話機保持部を備えた衣類（ズボン）２０のさらに別の保持部２２ｂを示す斜視図である。保持部２２ｂを、折り畳み式携帯電話機の折り畳まれた表示部筐体と操作部筐体の間に挿入および抜き取りができる薄さの薄平板に折り畳み式携帯電話機の表示部筐体あるいは操作部筐体のどちらか一方を挿通可能な大きさの挿通孔２７を設けたものとした。保持部は上部にボタン孔２３を有し、ズボン２１の腰部内側に複数取り付けられたボタン２４に取り付ける。
【００３７】
保持部２２ｂをズボン２１の外側に垂らして挿通孔２７に折り畳み式携帯電話機の表示部筐体Ｋ１あるいは操作部筐体のどちらか一方を挿通して表示部筐体と操作部筐体とで保持部２２ｂを挟んで折り畳み、携帯電話機を保持部２２ｂに吊るし掛ける。
【００３８】
携帯電話を吊るし掛けるので挿通孔２７の横幅は携帯電話機の幅以上であるが、縦幅も携帯電話機の幅以上であることが好ましい。このように形成することで携帯電話機を上方からだけでなく、横方向から挿通しても吊るし掛けることが可能で、携帯電話機の装着の角度が制限されず、また携帯電話機を挿通する空間も広くなり、携帯電話機の吊るし掛けがしやすくなる。
【００３９】
保持部２２、２２ａ、２２ｂの形状は帯状、挿通孔を有するものの他、携帯電話機Ｋを吊るし掛けることができる形状であれば、略Ｕ字形、円形や多角形等の幾何学形の他、動物や植物、またはアート、文字、イラスト、キャラクター等の形あるいは柄としてもよい。
【００４０】
保持部２２、２２ａ、２２ｂは薄板状であるので、表面に印刷がしやすく、シート状の素材を型抜きする等して製造することで様々な形に容易に成形でき、上記の多様なバリエーションの展開が容易で、意匠性の高い色柄、形状の保持部を安価に提供できる。表面に家庭用プリンタで印刷可能となる処理を施し、使用者が好みの写真やグラフィックをプリントできるようにしてもよい。
【００４１】
保持部２２、２２ａ、２２ｂは薄板状で身体に沿って垂れ下がった状態で、衣類からの突起物とならないため、腕や上着が引っ掛かったりせず邪魔にならず、嵩張らず、衣類との一体感があり見栄えがよい。また、保持部２２、２２ａ、２２ｂを服装に合わせて付け替えることができ、ファッション性にも優れる。
【００４２】
本実施形態ではズボン２１側に複数のボタン２４を取り付け、保持部２２、２２ｂ、帯状体２５にボタン孔２３を設けているが、逆にズボン２１側に複数のボタン孔を設け、保持部２２、２２ｂ、帯状体２５にボタンを取り付けてもよい。
【００４３】
保持部２２、２２ｂ、帯状体２５とズボン２１との取り付けはボタン２４によるものとしたが、面ファスナー、スナップボタン、ホック等の他の連結手段としてもよい。また、ボタン孔２３や保持部２２、２２ｂ、帯状体２５をズボン２１の外側に垂らした時、折り曲がる部分は、携帯電話機Ｋの荷重がかかるため補強されたり、皮革、合成樹脂、金属等の保持部と別部材で構成されてもよい。折り曲がる部分は回動軸としてもよい。
【００４４】
このように構成すると、携帯電話機Ｋを保持しない時は、保持部２２、２２ａ、２２ｂをズボン２１の内側に垂らし保持部２２、２２ａ、２２ｂを全て隠してしまうことができ、さらに保持部２２、２２ａ、２２ｂを取り外してしまうこともでき、保持部２２、２２ａ、２２ｂが邪魔にならない。
【００４５】
本実施形態ではボタン２４はズボン２１の内側に設けられているが、ズボン２１の外側に設けられてもよい。
【００４６】
携帯電話機の着脱方法は実施形態１と同様であり、その説明は省略する。
【００４７】
［実施形態３］
図８は本発明の第３の実施形態に係る携帯電話機保持部を備えた衣類（ズボン）の斜視図である。図８に示すように本発明の第３の実施形態に係る携帯電話機保持部を備えた衣類３０はズボン３１であり、折り畳み式携帯電話機Ｋを吊るし掛けて保持する保持部３２を有する。
【００４８】
ズボン上端に舌状部３３を形成し、この舌状部３３に雄部と雌部が嵌合するスナップボタン３４を取り付け、舌状部３３をズボンの外側に垂らし、細紐状の保持部３２を舌状部３３のスナップボタン３４の嵌合により固定している。
【００４９】
保持部３２はピアノ線等の細い金属線の表面をゴム、合成樹脂等で被覆したものや、ナイロン、フロロカーボン、ポリエステル、ポリエチレン等の合成繊維よりなる釣糸（テグス）等の折り畳み式携帯電話機の折り畳まれた表示部筐体と操作部筐体の間に挿入および抜き取りが可能な太さの細紐状（線状体）とし、両端を環状に形成し、スナップボタンに連結し、放物線状に垂れ下げた。
【００５０】
保持部３２は細紐状であるが、実施形態１、２に例示した略Ｕ字形、帯状、挿通孔を有する薄板状等としてもよく、さまざまなものに付け替えることができる。
【００５１】
図８では舌状部３３をズボン３１の上端に形成した例を示したが、舌状部３３はズボン３１の内側や外側に形成してもよい。また、保持部３２と舌状部３３の連結はスナップボタンの他、面ファスナー、通常ボタン、ホック等、他の連結手段としてもよい。
【００５２】
携帯電話機の着脱方法は実施形態１と同様であり、その説明は省略する。
【００５３】
［実施形態４］
図９は本発明の第４の実施形態に係る携帯電話機保持部を備えた衣類（ズボン）の斜視図である。図９に示すように本発明の第４の実施形態に係る携帯電話機保持部を備えた衣類４０はズボン４１であり、折り畳み式携帯電話機Ｋを吊るし掛けて保持する保持部４２を有する。
【００５４】
保持部４２は折り畳み式携帯電話機の折り畳んだ筐体間を利用して吊るし止めるもので、携帯電話機Ｋの折り畳まれた表示部筐体Ｋ１と操作部筐体Ｋ２の間に挿入および抜き取りができる薄さの帯状の薄板で、保持部４２とズボン４１との間に携帯電話機Ｋの一方の筐体を挿入できる空間ができるよう撓んだ状態で保持部４２の両端がズボン４１に縫合されている。
【００５５】
保持部４２の両端に細長い穿孔を設け、この穿孔を通してズボン４１にリベット等で固定し、保持部４２とズボン４１との間の空間を調節できるように構成してもよい。
【００５６】
本実施形態では保持部４２の両端がズボン４１に縫合されているが、保持部４２とズボン４１の連結はボタン、面ファスナー、スナップボタン、ホック等として保持部４１が取り外せ、付け替えできるようにしてもよい。また、保持部４２をズボン４１に複数個取り付けてもよい。
【００５７】
携帯電話機の着脱方法を説明すると、図９に示すように携帯電話機Ｋを少し開いた状態にし、携帯電話機Ｋの表示部筐体Ｋ１あるいは操作部筐体Ｋ２のどちらか一方を保持部とズボンとの空間に挿入し、表示部筐体Ｋ１と操作部筐体Ｋ２とで保持部４２を挟んで折り畳むと、携帯電話機Ｋは保持部４２を挟んだ状態で下方へ滑り、保持部４２が携帯電話機Ｋの回動軸Ｋ３に掛かり、携帯電話機Ｋは保持部４２に吊るし止められる。片手で素早く極めて簡単に携帯電話機Ｋを吊るし掛けて保持できる。折り畳んだ状態の携帯電話機Ｋの筐体間に保持部４２を挿入するように吊るし掛けてもよい。
【００５８】
携帯電話機Ｋを使用する時は携帯電話機Ｋを閉じたまま上方へ引き抜くと、携帯電話機Ｋを吊るし止めていた保持部４２が表示部筐体Ｋ１と操作部筐体Ｋ２の間を滑り抜け、携帯電話機Ｋは瞬時に保持部４２から取り外せて使用可能となる。
【００５９】
保持部４２は腕や上着が引っ掛かったりせず、邪魔にならず、嵩張らず、衣類との一体感があり、見栄えがよく、ファッションを崩さず女性でも抵抗なく使用できる。
【００６０】
折り畳んだ携帯電話機の筐体間を利用して吊るし止めるので、折り畳み式携帯電話機であればどのような形状、厚さの機種でも保持できる。また、携帯電話機は露出した状態で身体に沿って吊るし下げられるので携帯電話機の厚さ以上の突起物がなく、嵩張らず、軽快感があり、携帯電話機の背面の表示部も見え、着信音も聞こえやすい。
【００６１】
上記１〜４の実施形態では保持部を腰部の右側後部に備えたズボンを例示しているが、保持部はズボンの前側や左側にあってもよい。また、ズボンはスカート、ワンピース、シャツ、上着等の衣類としてもよく、保持部は衣類のさまざまな部位、上着やシャツの胴部の内側や外側、腕部、ズボンの脚部等に備えられていてもよい。使用者が保持しやすい場所を選べるように複数の保持部を備えていてもよい。
【産業上の利用可能性】
【００６２】
本発明の携帯電話機保持部を備えた衣類が備える保持部は、意匠の自由度が高く、様々な色柄、形状のバリエーション展開が容易であり、意匠性の高い色柄、形状とすることで、新しいファッションとして認知される可能性がある。本発明の携帯電話機保持部を備えた衣類は、折り畳み式携帯電話機の他にも二つに折り畳み可能な物品や吊るし掛け可能な物品、例えば小型コンピュータ、ＰＤＡ等の携帯情報端末機、ＣＤ、ＭＤ、メモリープレーヤー等の携帯音楽プレーヤー、さらには文具、工具、眼鏡、財布、小物入れ、タオル、小型鞄等も保持できるものとして応用展開が可能である。
【図面の簡単な説明】
【００６３】
【図１】実施形態１に係る携帯電話機保持部を備えた衣類の斜視図。
【図２】実施形態１に係る携帯電話機保持部を備えた衣類の正面図。
【図３】実施形態１に係る携帯電話機保持部を備えた衣類の使用状態を示す説明図。
【図４】実施形態１に係る携帯電話機保持部を備えた衣類の別の態様を示す説明図。
【図５】実施形態２に係る携帯電話機保持部を備えた衣類の使用状態を示す説明図。
【図６】実施形態２に係る携帯電話機保持部を備えた衣類の別の保持部を示す説明図。
【図７】実施形態２に係る携帯電話機保持部を備えた衣類のさらに別の保持部を示す説明図。
【図８】実施形態３に係る携帯電話機保持部を備えた衣類の斜視図。
【図９】実施形態４に係る携帯電話機保持部を備えた衣類の使用状態を示す説明図。
【符号の説明】
【００６４】
１０、２０、３０、４０  携帯電話機保持部を備えた衣類
１１、２１、３１、４１  ズボン
１２、２２、２２ａ、２２ｂ、３２、４２  保持部
２３  ボタン孔
２４  ボタン
２５  帯状体
２６、３４  スナップボタン
２７  挿通孔
３３  舌状部
Ｋ  携帯電話機
Ｋ１  表示部筐体
Ｋ２  操作部筐体
Ｋ３  回動軸
【図１】
2009114553.tif 000003
【図２】
2009114553.tif 000004
【図３】
2009114553.tif 000005
【図４】
2009114553.tif 000006
【図５】
2009114553.tif 000007
【図６】
2009114553.tif 000008
【図７】
2009114553.tif 000009
【図８】
2009114553.tif 000010
【図９】
2009114553.tif 000011